(57)【特許請求の範囲】
【請求項１】
主体を含み、前記主体の下端面には固定ブロックが固定的に設置され、前記固定ブロックの下端には掛かりブロックが固定的に設置され、前記掛かりブロックの右端面の中には第一モーターが固定的に設置され、前記第一モーターの右端にはスクリュープロペラが伝動できるように連結され、前記スクリュープロペラは本願発明の進むことに動力を供給し、前記主体の上端面の中には第二モーターが固定的に設置され、前記第二モーターの上端にはカメラ箱が伝動できるように連結され、前記カメラ箱の左端には左方に開口したカメラ空間が設置され、前記カメラ空間の左端の側壁には透明カバーが固定的に設置され、前記主体内部の右端には第一方向調節装置が設置され、前記第一方向調節装置は第一方向調節空間を含み、前記第一方向調節空間が前記主体の右端面の中に設置され、前記第一方向調節空間の上下壁の中には第一転向軸が対称的にかつ回転できるように設置され、前記第一転向軸において対称中心に近接した一端には第一歯車が固定的に設置され、前記第一転向軸において対称中心から離れた一端が外部に延在し、かつ前記第一転向軸において対称中心から離れた一端には第一舵板が固定的に設置され、前記主体内部の中間には第二方向調節装置が設置され、前記第二方向調節装置は第二方向調節空間を含み、前記第二方向調節空間が前記主体内部の中心に位置し、前記第二方向調節空間の右壁には第二制御空間が連通するように設置され、前記第二制御空間の中には第二スライド板が前後対称的にかつ前後にスライドできるように設置され、前後両側の前記第二スライド板において対称中心に近接した片側端面の右端には第二支持板が固定的に設置され、前記第二スライド板の間において前記第二支持板の左側には第三回転軸が回転できるように設置され、前記第三回転軸の外円周面の中心には第七歯車が固定的に設置され、前記第三回転軸の外円周面において前記第七歯車の後側には第八歯車が固定的に設置され、前記第一方向調節装置と前記第二方向調節装置との間には伝動装置が設置され、前記伝動装置は昇降空間を含み、前記昇降空間が前記第二制御空間の右壁に連通するように設置され、前記昇降空間の上下壁の間には第一スクリューが前後対称的にかつ回転できるように設置され、前記昇降空間の中には昇降ブロックが上下にスライドできるように設置され、前記昇降ブロックが前記第一スクリューにネジ山により連結され、前記伝動装置が前記昇降ブロックを制御して上下にスライドさせることにより、前記第一方向調節装置と前記第二方向調節装置とを切り替えることを実現することを特徴とする水中撮影用の撮影補助設備。
【請求項２】
前記第一方向調節装置は第一制御空間を含み、前記第一制御空間が前記第一方向調節空間の左壁に連通するように設置され、前記第一制御空間の左側が前記昇降空間に連通し、前記第一制御空間の中には第一スライド板が上下対称的にかつ上下にスライドできるように設置され、前後両側の前記第一スライド板において対称中心に近接した片側端面の左端に第一支持板が固定的に設置され、前記第一支持板が前記昇降ブロックに固定的に連結され、前記第一スライド板の間において前記第一支持板の右側には第一回転軸が回転できるように設置され、前記第一回転軸の外円周面の下端には第二歯車が固定的に設置され、前記第一回転軸の外円周面の上端には第三歯車が固定的に設置され、下側の前記第一スライド板の上端面において前記第二歯車の右側には第二回転軸が回転できるように設置され、前記第二回転軸の外円周面には第一歯車柱が固定的に設置され、前記第一歯車柱が上下両側の前記第一歯車に噛み合うことを特徴とする請求項１に記載の水中撮影用の撮影補助設備。
【請求項３】
上側の前記第一スライド板の下端面において前記第二回転軸の上方には第五歯車が回転できるように設置され、上側の前記第一スライド板の下端面において前記第一回転軸と前記第五歯車との間には第六歯車が回転できるように設置され、前記第六歯車が前記第三歯車及び前記第五歯車に噛み合い、前記第一スライド板が一番下の位置にスライドする時、上側の前記第一歯車は前記第一歯車柱の上端との噛合から離脱し、かつ前記第五歯車と噛み合うようになることを特徴とする請求項２に記載の水中撮影用の撮影補助設備。
【請求項４】
前記第二方向調節装置は第二転向軸を含み、前記第二転向軸が前記第二方向調節空間の前後壁に前後対称的にかつ回転できるように設置され、前記第二転向軸において対称中心に近接した片側には第十一歯車が固定的に設置され、前記第二転向軸において対称中心から離れた一端が外部に延在し、かつ前記第二転向軸において対称中心から離れた一端には第二舵板が固定的に設置されていることを特徴とする請求項１に記載の水中撮影用の撮影補助設備。
【請求項５】
前記第三回転軸の外円周面の後端には第九歯車が固定的に設置され、前記第三回転軸の外円周面の前端には第十歯車が固定的に設置され、前側の前記第二スライド板の後端面の中において前記第十歯車の左側には第四回転軸が回転できるように設置され、前記第四回転軸の後端には第二歯車柱が固定的に設置され、前記第二歯車柱が上下両側の前記第十一歯車に噛み合い、後側の前記第二スライド板の前端面において前記第四回転軸の後側には第十二歯車が回転できるように設置され、後側の前記第二スライド板の前端面において前記第九歯車と前記第十二歯車との間には第十三歯車が回転できるように設置され、前記第十三歯車が前記第九歯車及び前記第十二歯車に噛み合い、前記第二スライド板が前方へ一番前の位置にスライドする時、後側の前記第十一歯車は前記第二歯車柱の後端との噛合から離脱し、且つ前記第十二歯車と噛み合うようになることを特徴とする請求項４に記載の水中撮影用の撮影補助設備。
【請求項６】
前記伝動装置は第三モーターを含み、前記第三モーターが前記昇降空間の下壁の中に固定的に設置されかつ前記第一スクリューの間に位置し、前記昇降空間の下端面の中において前記第一スクリューの下方には第一歯車空間が設置され、前記第三モーターの前後両端において前記第一歯車空間の中に位置する部分には第二はすば歯車が伝動できるように設置され、前記第一歯車空間の上壁の中には歯車軸が回転できるように設置され、前記歯車軸の下端には第三はすば歯車が固定的に設置され、前記第三はすば歯車が前記第二はすば歯車に噛み合い、前記歯車軸の上端が前記昇降空間の中に延在し、かつ前記第一スクリューの下端面に固定的に連結されていることを特徴とする請求項１に記載の水中撮影用の撮影補助設備。
【請求項７】
前記昇降ブロックの中には第二歯車空間が設置され、前記第二歯車空間の下壁の中には第四モーターが固定的に設置され、前記第四モーターにおいて前記第二歯車空間の中に位置する部分には第四はすば歯車が伝動できるように連結され、前記第二歯車空間の左右壁の中には伝動軸が対称的にかつ回転できるように設置され、前記伝動軸において対称中心に近接した一端において前記第二歯車空間の中に位置する部分には第五はすば歯車が固定的に設置され、前記第五はすば歯車が前記第四はすば歯車に噛み合い、左側の前記伝動軸の左端が前記第二制御空間の中に延在し、かつ左側の前記伝動軸の左端には第二スクリューが固定的に設置され、前記第二スクリューの上端が前記第七歯車に噛み合い、右側の前記伝動軸の右端が前記第一制御空間の中に延在し、かつ右側の前記伝動軸の右端には第六はすば歯車が固定的に設置され、前記第一回転軸の外円周面には第一はすば歯車が固定的に設置され、前記第一はすば歯車が前記第六はすば歯車に噛み合い、前記昇降ブロックが下方へ一番下の位置にスライドし、及び前記第二スライド板が前方へ一番前の位置にスライドする時、前記第二スクリューが前記第七歯車との噛合から離脱して前記第八歯車と噛み合うようになることを特徴とする請求項３に記載の水中撮影用の撮影補助設備。
【請求項８】
前記主体の内部において前記第二制御空間及び前記昇降ブロックの下方の後端に位置する部分には当接ロッド空間が設置され、前記当接ロッド空間の前後壁の間にはてこが回転できるように設置され、前記てこの回転中心の右側において前記昇降空間の下方には第一位置制限孔が前後に貫通するように設置され、前記当接ロッド空間の上壁と前記昇降空間の下壁との間には第一当接ロッドが上下に貫通するかつ上下にスライドできるように設置され、前記第一当接ロッドの前端面の下端には第一位置制限ロッドが固定的に設置され、前記第一位置制限ロッドの前端が前記第一位置制限孔の中に延在し、前記第一当接ロッドの下端と前記当接ロッド空間の下壁との間にはばねが固定的に連結され、前記てこの回転中心の左側において前記第二制御空間の下方には第二位置制限孔が前後に貫通するように設置され、前記当接ロッド空間の上壁と前記第二制御空間の下壁との間には第二当接ロッドが上下に貫通するかつ上下にスライドできるように設置され、前記第二当接ロッドの前端面の下端には第二位置制限ロッドが固定的に設置され、前記第二位置制限ロッドの前端が前記第二位置制限孔の中に延在し、前記第二当接ロッドの上端において前記第二制御空間の中に位置する部分には第一斜面ブロックが固定的に設置され、後側の前記第二スライド板の後端面において前記第一斜面ブロックの上方には第二斜面ブロックが固定的に設置され、前記第二当接ロッドが上方にスライドする時、前記第一斜面ブロックが前記第二斜面ブロックの斜面と当接することにより、前記第二スライド板を押し動かして前方にスライドさせることを特徴とする請求項１に記載の水中撮影用の撮影補助設備。
【発明の詳細な説明】
【技術分野】
【０００１】
本願発明は撮影補助設備技術分野に関し、具体的には水中撮影用の撮影補助設備である。
【背景技術】
【０００２】
日増しに発展する生活レベルの向上に伴い、水中撮影はよく見られるようになる。現在の水中撮影はカメラマンが撮影機材を持って水中で撮影することであり、この作業はカメラマンがダイビング及び水中撮影の技術を身につける必要がある。しかし、酸素ボンベの酸素量が制限られるため、水中撮影を行う時間またはダイビングの深さには限界がある。操作ミスがあれば巨大な経済的損失をもたらし、自身の安全を確保できない恐れがある。その他、水中で固定されるカメラ機材が臨機応変に対応して撮影するように確保できない。本願発明は上記の問題を解決できる装置である。
【先行技術文献】
【特許文献】
【０００３】
【特許文献１】中国特許出願公開第１０９１４３７６９号明細書
【発明の概要】
【発明が解決しようとする課題】
【０００４】
技術問題：現在の水中撮影はカメラマンが撮影機材を持って水中で撮影することであり、この作業はカメラマンがダイビング及び水中撮影の技術を身につける必要がある。しかし、酸素ボンベの酸素量が制限られるため、水中撮影を行う時間またはダイビングの深さには限界がある。。その他、水中で固定されるカメラ機材が臨機応変に対応して撮影するように確保できない。
【課題を解決するための手段】
【０００５】
上記の問題を解決するため、本願発明は水中撮影用の撮影補助設備を設計する。本願発明の水中撮影用の撮影補助設備は、主体を含み、前記主体の下端面には固定ブロックが固定的に設置され、前記固定ブロックの下端には掛かりブロックが固定的に設置され、前記掛かりブロックの右端面の中には第一モーターが固定的に設置され、前記第一モーターの右端にはスクリュープロペラが伝動できるように連結され、前記スクリュープロペラは本願発明の進むことに動力を供給し、前記主体の上端面の中には第二モーターが固定的に設置され、前記第二モーターの上端にはカメラ箱が伝動できるように連結され、前記カメラ箱の左端には左方に開口したカメラ空間が設置され、前記カメラ空間の左端の側壁には透明カバーが固定的に設置され、前記主体内部の右端には第一方向調節装置が設置され、前記第一方向調節装置は第一方向調節空間を含み、前記第一方向調節空間が前記主体の右端面の中に設置され、前記第一方向調節空間の上下壁の中には第一転向軸が対称的にかつ回転できるように設置され、前記第一転向軸において対称中心に近接した一端には第一歯車が固定的に設置され、前記第一転向軸において対称中心から離れた一端が外部に延在し、かつ前記第一転向軸において対称中心から離れた一端には第一舵板が固定的に設置され、前記主体内部の中間には第二方向調節装置が設置され、前記第二方向調節装置は第二方向調節空間を含み、前記第二方向調節空間が前記主体内部の中心に位置し、前記第二方向調節空間の右壁には第二制御空間が連通するように設置され、前記第二制御空間の中には第二スライド板が前後対称的にかつ前後にスライドできるように設置され、前後両側の前記第二スライド板において対称中心に近接した片側端面の右端には第二支持板が固定的に設置され、前記第二スライド板の間において前記第二支持板の左側には第三回転軸が回転できるように設置され、前記第三回転軸の外円周面の中心には第七歯車が固定的に設置され、前記第三回転軸の外円周面において前記第七歯車の後側には第八歯車が固定的に設置され、前記第一方向調節装置と前記第二方向調節装置との間には伝動装置が設置され、前記伝動装置は昇降空間を含み、前記昇降空間が前記第二制御空間の右壁に連通するように設置され、前記昇降空間の上下壁の間には第一スクリューが前後対称的にかつ回転できるように設置され、前記昇降空間の中には昇降ブロックが上下にスライドできるように設置され、前記昇降ブロックが前記第一スクリューにネジ山により連結され、前記伝動装置が前記昇降ブロックを制御して上下にスライドさせることにより、前記第一方向調節装置と前記第二方向調節装置とを切り替えることを実現する。
【０００６】
好ましくは、前記第一方向調節装置は第一制御空間を含み、前記第一制御空間が前記第一方向調節空間の左壁に連通するように設置され、前記第一制御空間の左側が前記昇降空間に連通し、前記第一制御空間の中には第一スライド板が上下対称的にかつ上下にスライドできるように設置され、前後両側の前記第一スライド板において対称中心に近接した片側端面の左端に第一支持板が固定的に設置され、前記第一支持板が前記昇降ブロックに固定的に連結され、前記第一スライド板の間において前記第一支持板の右側には第一回転軸が回転できるように設置され、前記第一回転軸の外円周面の下端には第二歯車が固定的に設置され、前記第一回転軸の外円周面の上端には第三歯車が固定的に設置され、下側の前記第一スライド板の上端面において前記第二歯車の右側には第二回転軸が回転できるように設置され、前記第二回転軸の外円周面には第一歯車柱が固定的に設置され、前記第一歯車柱が上下両側の前記第一歯車に噛み合う。
【０００７】
好ましくは、上側の前記第一スライド板の下端面において前記第二回転軸の上方には第五歯車が回転できるように設置され、上側の前記第一スライド板の下端面において前記第一回転軸と前記第五歯車との間には第六歯車が回転できるように設置され、前記第六歯車が前記第三歯車及び前記第五歯車に噛み合い、前記第一スライド板が一番下の位置にスライドする時、上側の前記第一歯車は前記第一歯車柱の上端との噛合から離脱し、かつ前記第五歯車と噛み合うようになる。
【０００８】
好ましくは、前記第二方向調節装置は第二転向軸を含み、前記第二転向軸が前記第二方向調節空間の前後壁に前後対称的にかつ回転できるように設置され、前記第二転向軸において対称中心に近接した片側には第十一歯車が固定的に設置され、前記第二転向軸において対称中心から離れた一端が外部に延在し、かつ前記第二転向軸において対称中心から離れた一端には第二舵板が固定的に設置されている。
【０００９】
好ましくは、前記第三回転軸の外円周面の後端には第九歯車が固定的に設置され、前記第三回転軸の外円周面の前端には第十歯車が固定的に設置され、前側の前記第二スライド板の後端面の中において前記第十歯車の左側には第四回転軸が回転できるように設置され、前記第四回転軸の後端には第二歯車柱が固定的に設置され、前記第二歯車柱が上下両側の前記第十一歯車に噛み合い、後側の前記第二スライド板の前端面において前記第四回転軸の後側には第十二歯車が回転できるように設置され、後側の前記第二スライド板の前端面において前記第九歯車と前記第十二歯車との間には第十三歯車が回転できるように設置され、前記第十三歯車が前記第九歯車及び前記第十二歯車に噛み合い、前記第二スライド板が前方へ一番前の位置にスライドする時、後側の前記第十一歯車は前記第二歯車柱の後端との噛合から離脱し、且つ前記第十二歯車と噛み合うようになる。
【００１０】
好ましくは、前記伝動装置は第三モーターを含み、前記第三モーターが前記昇降空間の下壁の中に固定的に設置されかつ前記第一スクリューの間に位置し、前記昇降空間の下端面の中において前記第一スクリューの下方には第一歯車空間が設置され、前記第三モーターの前後両端において前記第一歯車空間の中に位置する部分には第二はすば歯車が伝動できるように設置され、前記第一歯車空間の上壁の中には歯車軸が回転できるように設置され、前記歯車軸の下端には第三はすば歯車が固定的に設置され、前記第三はすば歯車が前記第二はすば歯車に噛み合い、前記歯車軸の上端が前記昇降空間の中に延在し、かつ前記第一スクリューの下端面に固定的に連結されている。
【００１１】
好ましくは、前記昇降ブロックの中には第二歯車空間が設置され、前記第二歯車空間の下壁の中には第四モーターが固定的に設置され、前記第四モーターにおいて前記第二歯車空間の中に位置する部分には第四はすば歯車が伝動できるように連結され、前記第二歯車空間の左右壁の中には伝動軸が対称的にかつ回転できるように設置され、前記伝動軸において対称中心に近接した一端において前記第二歯車空間の中に位置する部分には第五はすば歯車が固定的に設置され、前記第五はすば歯車が前記第四はすば歯車に噛み合い、左側の前記伝動軸の左端が前記第二制御空間の中に延在し、かつ左側の前記伝動軸の左端には第二スクリューが固定的に設置され、前記第二スクリューの上端が前記第七歯車に噛み合い、右側の前記伝動軸の右端が前記第一制御空間の中に延在し、かつ右側の前記伝動軸の右端には第六はすば歯車が固定的に設置され、前記第一回転軸の外円周面には第一はすば歯車が固定的に設置され、前記第一はすば歯車が前記第六はすば歯車に噛み合い、前記昇降ブロックが下方へ一番下の位置にスライドし、及び前記第二スライド板が前方へ一番前の位置にスライドする時、前記第二スクリューが前記第七歯車との噛合から離脱して前記第八歯車と噛み合うようになる。
【００１２】
好ましくは、前記主体の内部において前記第二制御空間及び前記昇降ブロックの下方の後端に位置する部分には当接ロッド空間が設置され、前記当接ロッド空間の前後壁の間にはてこが回転できるように設置され、前記てこの回転中心の右側において前記昇降空間の下方には第一位置制限孔が前後に貫通するように設置され、前記当接ロッド空間の上壁と前記昇降空間の下壁との間には第一当接ロッドが上下に貫通するかつ上下にスライドできるように設置され、前記第一当接ロッドの前端面の下端には第一位置制限ロッドが固定的に設置され、前記第一位置制限ロッドの前端が前記第一位置制限孔の中に延在し、前記第一当接ロッドの下端と前記当接ロッド空間の下壁との間にはばねが固定的に連結され、前記てこの回転中心の左側において前記第二制御空間の下方には第二位置制限孔が前後に貫通するように設置され、前記当接ロッド空間の上壁と前記第二制御空間の下壁との間には第二当接ロッドが上下に貫通するかつ上下にスライドできるように設置され、前記第二当接ロッドの前端面の下端には第二位置制限ロッドが固定的に設置され、前記第二位置制限ロッドの前端が前記第二位置制限孔の中に延在し、前記第二当接ロッドの上端において前記第二制御空間の中に位置する部分には第一斜面ブロックが固定的に設置され、後側の前記第二スライド板の後端面において前記第一斜面ブロックの上方には第二斜面ブロックが固定的に設置され、前記第二当接ロッドが上方にスライドする時、前記第一斜面ブロックが前記第二斜面ブロックの斜面と当接することにより、前記第二スライド板を押し動かして前方にスライドさせる。
【発明の効果】
【００１３】
本願発明の有益な効果は：カメラマンによる水中撮影及び水中にカメラ機材を固定して撮影するという二つの方法に対し、本願発明は臨機応変に対応でき、カメラを使ってドリー撮影をしやすく、ニーズによって本願発明の進み速度及び転向を快速にかつ便利で調節でき、水中で特殊動作を模擬して撮影でき、カメラマンによる水中撮影の負担を軽減し、水中撮影のリスクと強度とを下げる。
【図面の簡単な説明】
【００１４】
下記に図１〜４をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１５】
【図１】図１は本願発明の水中撮影用の撮影補助設備の全体構成概略図
【図２】図２は図１におけるＡ−Ａ方向からの断面図
【図３】図３は図２におけるＢ−Ｂ方向からの断面図
【図４】図４は図２におけるＣ−Ｃ方向からの断面図
【図５】図５は図４におけるＤ−Ｄ方向からの断面図
【発明を実施するための形態】
【００１６】
本願発明は水中撮影用の撮影補助設備に関し、主に水中での特殊撮影に使用され、以下、本願発明の図面を参照してさらなる説明をする。
【００１７】
本願発明の水中撮影用の撮影補助設備は、主体１１を含み、前記主体１１の下端面には固定ブロック１２が固定的に設置され、前記固定ブロック１２の下端には掛かりブロック１３が固定的に設置され、前記掛かりブロック１３の右端面の中には第一モーター１４が固定的に設置され、前記第一モーター１４の右端にはスクリュープロペラ１５が伝動できるように連結され、前記スクリュープロペラ１５は本願発明の進むことに動力を供給し、前記主体１１の上端面の中には第二モーター１６が固定的に設置され、前記第二モーター１６の上端にはカメラ箱１７が伝動できるように連結され、前記カメラ箱１７の左端には左方に開口したカメラ空間１８が設置され、前記カメラ空間１８の左端の側壁には透明カバー１９が固定的に設置され、前記主体１１内部の右端には第一方向調節装置１０１が設置され、前記第一方向調節装置１０１は第一方向調節空間２０を含み、前記第一方向調節空間２０が前記主体１１の右端面の中に設置され、前記第一方向調節空間２０の上下壁の中には第一転向軸２１が対称的にかつ回転できるように設置され、前記第一転向軸２１において対称中心に近接した一端には第一歯車２２が固定的に設置され、前記第一転向軸２１において対称中心から離れた一端が外部に延在し、かつ前記第一転向軸２１において対称中心から離れた一端には第一舵板２３が固定的に設置され、前記主体１１内部の中間には第二方向調節装置１０２が設置され、前記第二方向調節装置１０２は第二方向調節空間３６を含み、前記第二方向調節空間３６が前記主体１１内部の中心に位置し、前記第二方向調節空間３６の右壁には第二制御空間３７が連通するように設置され、前記第二制御空間３７の中には第二スライド板３８が前後対称的にかつ前後にスライドできるように設置され、前後両側の前記第二スライド板３８において対称中心に近接した片側端面の右端には第二支持板３９が固定的に設置され、前記第二スライド板３８の間において前記第二支持板３９の左側には第三回転軸４０が回転できるように設置され、前記第三回転軸４０の外円周面の中心には第七歯車４１が固定的に設置され、前記第三回転軸４０の外円周面において前記第七歯車４１の後側には第八歯車４２が固定的に設置され、前記第一方向調節装置１０１と前記第二方向調節装置１０２との間には伝動装置１０３が設置され、前記伝動装置１０３は昇降空間５２を含み、前記昇降空間５２が前記第二制御空間３７の右壁に連通するように設置され、前記昇降空間５２の上下壁の間には第一スクリュー５９が前後対称的にかつ回転できるように設置され、前記昇降空間５２の中には昇降ブロック５３が上下にスライドできるように設置され、前記昇降ブロック５３が前記第一スクリュー５９にネジ山により連結され、前記伝動装置１０３が前記昇降ブロック５３を制御して上下にスライドさせることにより、前記第一方向調節装置１０１と前記第二方向調節装置１０２とを切り替えることを実現する。
【００１８】
有益なように、以下、第一方向調節装置１０１について詳しく説明し、前記第一方向調節装置１０１は第一制御空間２４を含み、前記第一制御空間２４が前記第一方向調節空間２０の左壁に連通するように設置され、前記第一制御空間２４の左側が前記昇降空間５２に連通し、前記第一制御空間２４の中には第一スライド板２５が上下対称的にかつ上下にスライドできるように設置され、前後両側の前記第一スライド板２５において対称中心に近接した片側端面の左端に第一支持板２６が固定的に設置され、前記第一支持板２６が前記昇降ブロック５３に固定的に連結され、前記第一スライド板２５の間において前記第一支持板２６の右側には第一回転軸２７が回転できるように設置され、前記第一回転軸２７の外円周面の下端には第二歯車２９が固定的に設置され、前記第一回転軸２７の外円周面の上端には第三歯車３０が固定的に設置され、下側の前記第一スライド板２５の上端面において前記第二歯車２９の右側には第二回転軸３１が回転できるように設置され、前記第二回転軸３１の外円周面には第一歯車柱３２が固定的に設置され、前記第一歯車柱３２が上下両側の前記第一歯車２２に噛み合う。
【００１９】
有益なように、上側の前記第一スライド板２５の下端面において前記第二回転軸３１の上方には第五歯車３４が回転できるように設置され、上側の前記第一スライド板２５の下端面において前記第一回転軸２７と前記第五歯車３４との間には第六歯車３５が回転できるように設置され、前記第六歯車３５が前記第三歯車３０及び前記第五歯車３４に噛み合い、前記第一スライド板２５が一番下の位置にスライドする時、上側の前記第一歯車２２は前記第一歯車柱３２の上端との噛合から離脱し、かつ前記第五歯車３４と噛み合うようになる。
【００２０】
有益なように、以下、第二方向調節装置１０２について詳しく説明し、前記第二方向調節装置１０２は第二転向軸４５を含み、前記第二転向軸４５が前記第二方向調節空間３６の前後壁に前後対称的にかつ回転できるように設置され、前記第二転向軸４５において対称中心に近接した片側には第十一歯車４６が固定的に設置され、前記第二転向軸４５において対称中心から離れた一端が外部に延在し、かつ前記第二転向軸４５において対称中心から離れた一端には第二舵板４７が固定的に設置されている。
【００２１】
有益なように、前記第三回転軸４０の外円周面の後端には第九歯車４３が固定的に設置され、前記第三回転軸４０の外円周面の前端には第十歯車４４が固定的に設置され、前側の前記第二スライド板３８の後端面の中において前記第十歯車４４の左側には第四回転軸４８が回転できるように設置され、前記第四回転軸４８の後端には第二歯車柱４９が固定的に設置され、前記第二歯車柱４９が上下両側の前記第十一歯車４６に噛み合い、後側の前記第二スライド板３８の前端面において前記第四回転軸４８の後側には第十二歯車５０が回転できるように設置され、後側の前記第二スライド板３８の前端面において前記第九歯車４３と前記第十二歯車５０との間には第十三歯車５１が回転できるように設置され、前記第十三歯車５１が前記第九歯車４３及び前記第十二歯車５０に噛み合い、前記第二スライド板３８が前方へ一番前の位置にスライドする時、後側の前記第十一歯車４６は前記第二歯車柱４９の後端との噛合から離脱し、且つ前記第十二歯車５０と噛み合うようになる。
【００２２】
有益なように、以下、伝動装置１０３について詳しく説明し、前記伝動装置１０３は第三モーター５４を含み、前記第三モーター５４が前記昇降空間５２の下壁の中に固定的に設置されかつ前記第一スクリュー５９の間に位置し、前記昇降空間５２の下端面の中において前記第一スクリュー５９の下方には第一歯車空間５５が設置され、前記第三モーター５４の前後両端において前記第一歯車空間５５の中に位置する部分には第二はすば歯車５６が伝動できるように設置され、前記第一歯車空間５５の上壁の中には歯車軸５７が回転できるように設置され、前記歯車軸５７の下端には第三はすば歯車５８が固定的に設置され、前記第三はすば歯車５８が前記第二はすば歯車５６に噛み合い、前記歯車軸５７の上端が前記昇降空間５２の中に延在し、かつ前記第一スクリュー５９の下端面に固定的に連結されている。
【００２３】
有益なように、前記昇降ブロック５３の中には第二歯車空間６０が設置され、前記第二歯車空間６０の下壁の中には第四モーター６１が固定的に設置され、前記第四モーター６１において前記第二歯車空間６０の中に位置する部分には第四はすば歯車６２が伝動できるように連結され、前記第二歯車空間６０の左右壁の中には伝動軸６３が対称的にかつ回転できるように設置され、前記伝動軸６３において対称中心に近接した一端において前記第二歯車空間６０の中に位置する部分には第五はすば歯車６４が固定的に設置され、前記第五はすば歯車６４が前記第四はすば歯車６２に噛み合い、左側の前記伝動軸６３の左端が前記第二制御空間３７の中に延在し、かつ左側の前記伝動軸６３の左端には第二スクリュー６６が固定的に設置され、前記第二スクリュー６６の上端が前記第七歯車４１に噛み合い、右側の前記伝動軸６３の右端が前記第一制御空間２４の中に延在し、かつ右側の前記伝動軸６３の右端には第六はすば歯車６５が固定的に設置され、前記第一回転軸２７の外円周面には第一はすば歯車２８が固定的に設置され、前記第一はすば歯車２８が前記第六はすば歯車６５に噛み合い、前記昇降ブロック５３が下方へ一番下の位置にスライドし、及び前記第二スライド板３８が前方へ一番前の位置にスライドする時、前記第二スクリュー６６が前記第七歯車４１との噛合から離脱して前記第八歯車４２と噛み合うようになる。
【００２４】
有益なように、前記主体１１の内部において前記第二制御空間３７及び前記昇降ブロック５３の下方の後端に位置する部分には当接ロッド空間６７が設置され、前記当接ロッド空間６７の前後壁の間にはてこ６８が回転できるように設置され、前記てこ６８の回転中心の右側において前記昇降空間５２の下方には第一位置制限孔６９が前後に貫通するように設置され、前記当接ロッド空間６７の上壁と前記昇降空間５２の下壁との間には第一当接ロッド７０が上下に貫通するかつ上下にスライドできるように設置され、前記第一当接ロッド７０の前端面の下端には第一位置制限ロッド７１が固定的に設置され、前記第一位置制限ロッド７１の前端が前記第一位置制限孔６９の中に延在し、前記第一当接ロッド７０の下端と前記当接ロッド空間６７の下壁との間にはばね７２が固定的に連結され、前記てこ６８の回転中心の左側において前記第二制御空間３７の下方には第二位置制限孔７３が前後に貫通するように設置され、前記当接ロッド空間６７の上壁と前記第二制御空間３７の下壁との間には第二当接ロッド７４が上下に貫通するかつ上下にスライドできるように設置され、前記第二当接ロッド７４の前端面の下端には第二位置制限ロッド７５が固定的に設置され、前記第二位置制限ロッド７５の前端が前記第二位置制限孔７３の中に延在し、前記第二当接ロッド７４の上端において前記第二制御空間３７の中に位置する部分には第一斜面ブロック７６が固定的に設置され、後側の前記第二スライド板３８の後端面において前記第一斜面ブロック７６の上方には第二斜面ブロック７７が固定的に設置され、前記第二当接ロッド７４が上方にスライドする時、前記第一斜面ブロック７６が前記第二斜面ブロック７７の斜面と当接することにより、前記第二スライド板３８を押し動かして前方にスライドさせる。
【００２５】
以下、図１〜５を参照して本願発明の水中撮影用撮影補助設備の使用手順について詳しく説明する。
【００２６】
初めに、カメラをカメラ空間１８の中に固定し、上側の第一歯車２２と第一歯車柱３２とは噛合状態にあり、第七歯車４１と第二スクリュー６６とは噛合状態にある。
【００２７】
作動する時、第一モーター１４が作動してスクリュープロペラ１５を駆動して回転させることで、本願発明の進むことに動力を供給し、撮影のニーズによって、第二モーター１６が作動してカメラ箱１７を駆動して指定方向に回転させ、本願発明の高さ及び撮影角度を調整するには、第四モーター６１が作動して第四はすば歯車６２を駆動して回転させ、歯車の噛合により伝動軸６３を駆動して回転させ、左側の伝動軸６３が第二スクリュー６６を駆動して回転させ、第二スクリュー６６が第七歯車４１と噛み合うことにより第三回転軸４０を駆動して回転させ、第三回転軸４０が第十歯車４４を駆動して回転させ、歯車の噛合により第十四歯車７８を駆動して回転させ、再び歯車の噛合により第十一歯車４６を駆動して回転させ、さらに第二舵板４７が指定される角度まで回転し、回転終了後、第四モーター６１が逆方向に回転して第二舵板４７を駆動して水平状態に戻らせ、第二スクリュー６６が回転すると同時に右側の伝動軸６３が第六はすば歯車６５を駆動して回転させるため、第二舵板４７が水平状態に戻った後、第三モーター５４が作動して第二はすば歯車５６を駆動して回転させ、歯車の噛合により第一スクリュー５９を駆動して回転させ、ネジ山による噛合で昇降ブロック５３を駆動して下方へ短い距離をスライドさせ、第七歯車４１がちょうど第二スクリュー６６との噛合から離脱し、上側の第一歯車２２が第一歯車柱３２との噛合から離脱しなく、この時にカメラを水平方向で進む方向を調節しかできなく、第四モーター６１が引き続き逆方向に回転し、右側の伝動軸６３が第六はすば歯車６５を駆動して回転させ、歯車の噛合により第一回転軸２７を駆動して回転させ、第一回転軸２７が第二歯車２９を駆動して回転させ、歯車の噛合により第二回転軸３１を駆動して回転させ、さらに第一歯車柱３２が回転して歯車の噛合により第一転向軸２１を駆動して回転させ、第二舵板２３が第二舵板４７と一緒に回転する時の方向と反対する方向に回転し、本願発明は水平方向で進む方向が左前方或いは左後方に調節されることができるため、本願発明の進む方向を左方に調節し、調節終了後、第四モーター６１を止め、特殊撮影のため本願発明が回転しながら進む必要がある場合において、第三モーター５４が作動して昇降ブロック５３を駆動して下方へ一番下の位置にスライドさせ、昇降ブロック５３が下方にスライドすると同時に第一スライド板２５及び第一支持板２６を駆動して下方へ一番下の位置にスライドさせることにより、上側の第一歯車２２が第五歯車３４と噛み合うようになり、昇降ブロック５３が下方にスライドする時に第一てこ７０をプッシュし、第一てこ７０がてこ６８の右端を駆動して下方に翻転させ、さらにてこ６８の左端が上方に翻転して第二てこ７４を押し動かして上方にスライドさせ、さらに第一斜面ブロック７６の斜面が第二斜面ブロック７７の斜面と当接し、第二スライド板３８及び第二支持板３９が前方へ一番前の位置にスライドすることで、後側の第十一歯車４６が第十二歯車５０と噛み合うようになり、かつ第八歯車４２が第二スクリュー６６と噛み合うようになり、第四モーター６１が作動し、第一回転軸２７が回転する時に第二歯車２９及び第三歯車３０を駆動して回転させ、歯車の噛合により第四歯車３３及び第五歯車３４を駆動することで第四歯車３３及び第五歯車３４が互いに反対の方向に回転し、さらに前後両側の第二舵板４７が互いに反対の方向に向いて同じ角度回転し、さらに本願発明が主体１１の軸心を回転軸として回転しながら進む。
【００２８】
本願発明の有益な効果は：カメラマンによる水中撮影及び水中にカメラ機材を固定して撮影するという二つの方法に対し、本願発明は臨機応変に対応でき、カメラを使ってドリー撮影をしやすく、ニーズによって本願発明の進み速度及び転向を快速にかつ便利で調節でき、水中で特殊動作を模擬して撮影でき、カメラマンによる水中撮影の負担を軽減し、水中撮影のリスクと強度とを下げる。
【００２９】
上記の方式によって、当業者は本発明の範囲内で作動モードに基づいて様々な変わりを行える。
【要約】
【課題】本願発明は水中撮影用の撮影補助設備を開示した。
【解決手段】
主体を含み、前記主体内部の右端には第一方向調節装置が設置され、前記主体内部の中間には第二方向調節装置が設置され、前記第一方向調節装置と前記第二方向調節装置との間には伝動装置が設置され、カメラマンによる水中撮影及び水中にカメラ機材を固定して撮影するという二つの方法に対し、本願発明は臨機応変に対応でき、カメラを使ってドリー撮影をしやすく、ニーズによって本願発明の進み速度及び転向を快速にかつ便利で調節でき、水中で特殊動作を模擬して撮影でき、カメラマンによる水中撮影の負担を軽減し、水中撮影のリスクと強度とを下げる。
【選択図】図１【図１】
0006802427.tif 000002
【図２】
0006802427.tif 000003
【図３】
0006802427.tif 000004
【図４】
0006802427.tif 000005
【図５】
0006802427.tif 000006